(57)【特許請求の範囲】
【請求項１】
建物に存在する段差部の前側に設置される段差部用踏台であって、背部に固定棒挿入孔が設けられており、該固定棒挿入孔背面には該挿入孔の巾よりも小巾の切欠部が設けられており、該固定棒挿入孔には該段差部正面に取り付けられている固定棒が挿入されるが、該固定棒には該固定棒挿入孔の巾よりも小さく該切欠部の巾よりも大きい大巾部の上側に該切欠部の巾よりも小さい小巾部が形成されていることを特徴とする段差部用踏台。
【請求項２】
該踏台本体の四隅に設けられている脚部は高さ調節可能とされており、該踏台本体の前面には上下摺動可能に前面板が取り付けられている請求項１に記載の段差部用踏台。
【発明の詳細な説明】
【０００１】
【発明の属する技術分野】
本発明は例えば玄関の上り框等の段差部に設置される段差部用踏台に関するものである。
【０００２】
【従来の技術】
例えば玄関の上り框等の段差部Ｓを老人、病人、身体障害者等が楽に上り下りできるようにするため、従来から段差部用踏台が提供されている。例えば図１２に示すように、該踏台(9) は背面に固定棒挿入孔(91)が設けられ、該固定棒挿入孔(91)に段差部Ｓの正面に取り付けられている固定棒(92)を挿入することによって固定される（特開平１１ー２６４２８５号）。
このような固定により該踏台(9) は安定性に優れ、踏台(9) がずれたり傾いたりして上り下りする際の転倒事故が確実に防止される。
【０００３】
【発明が解決しようとする課題】
上記従来の踏台固定方式では、玄関を掃除する場合等に踏台(9) を移動させる必要があるが、その場合には段差部Ｓに取り付けられている固定棒(92)を取りはずさなければならない、と云う手間がかかる。
【０００４】
【課題を解決するための手段】
本発明は上記従来の課題を解決するための手段として、建物に存在する段差部Ｓの前側に設置される段差部用踏台(1) であって、背部に固定棒挿入孔(26)が設けられており、該固定棒挿入孔(26)背面には該挿入孔(26)の巾ｗ3 よりも小巾の切欠部(27)が設けられており、該固定棒挿入孔(26)には該段差部Ｓ正面に取り付けられている固定棒(4) が挿入されるが、該固定棒(4) には該固定棒挿入孔(26)の巾ｗ3 よりも小さく該切欠部(27)の巾ｗ4 よりも大きい大巾部(41)の上側に該切欠部(27)の巾ｗ4 よりも小さい小巾部(42)が形成されている段差部用踏台(1) を提供するものである。
該踏台本体(2) の四隅に設けられている脚部(3b)は高さ調節可能とされており、該踏台本体(2) の前面には上下摺動可能に前面板(24)が取り付けられていることが望ましい。
【０００５】
【作用】
該踏台(1) 設置状態では該踏台(1) の固定棒挿入孔(26)に該固定棒(4) の大巾部(41)が挿入された状態となり、該固定棒(4) の大巾部(41)の巾ｗ1 は該挿入孔(26)の切欠部(42)の巾ｗ4 よりも大きいので（ｗ4 ＜ｗ1 ）、該踏台(1) は該固定棒(4) により固定される。該踏台(1) を移動させるときには、該踏台(1) を若干持上げ、該挿入孔(26)を該固定棒(4) の小巾部(42)の個所に位置させる。この状態で該小巾部(42)の巾ｗ2 は該切欠部(27)の巾ｗ4 より小さいので（ｗ2 ＜ｗ4 ）、該小巾部(42)は該挿入孔(26)の切欠部(27)を通り抜けることが出来、該踏台(1) を該固定棒(4) から取りはずすことが出来る。したがって該踏台(1) を移動させる時に、該固定棒(4) を取りはずす必要はない。
【０００６】
該踏台(1) の本体(2) の四隅に設けられている脚部(3b)を高さ調節可能とすると、種々な高さの段差部Ｓに対して踏台(1) の高さを対応させることが出来る。
また前面板(24)は該踏台(1) の高さに対応して上下に摺動して踏台(1) 前面を覆い、踏台(1) の前端がつま先に引っ掛からないようにする。
【０００７】
【発明の実施の形態】
本発明を図１〜図１１に示す一実施例によって説明する。
図１に示す段差部用踏台(1) はプラスチック製の踏台本体(2) と該踏台本体(2) を支持する脚部材(3) とからなる。該踏台本体(2) は、例えばポリエチレン、ポリプロピレン等の熱可塑性樹脂を材料としてブロー成形や射出成形等によって製造される。
【０００８】
図２に示すように該踏台本体(2) は角箱浅蓋状の踏板部(21)と該踏板部(21)の前側両端から半筒状に垂下延設される一対の前脚カバー部(22,22) とからなり、該前脚カバー部(22,22) の対向する内側には垂直方向に一対のガイド突条(23,23) が設けられている。該前脚カバー部(22,22) 間に差し渡される前面板(24)は、上端で細Ｕ字状に屈曲された方形板状で、前板部(24a) と後板部(24b) の間には摺動溝(24c) が形成されており、該摺動溝(24c) の両側端が前脚カバー部(22,22) のガイド突条(23,23) に上下摺動可能に掛架される。
【０００９】
図３に示すように該踏板部(21)の背部には一対の固定棒挿入孔(26,26) が設けられており、さらに該固定棒挿入孔(26,26) の背面には該挿入孔(26,26) の巾ｗ3 よりも小さい巾ｗ4 の切欠部(27,27) が設けられている。
【００１０】
図４に示すように該固定棒挿入孔(26,26) に挿入される固定棒(4) は大巾部(41)と該大巾部(41)の上側に後方に向けて段状に屈曲延設されている小巾部(42)よりなる。図３および図５に示すように該大巾部(41)の巾ｗ1 は該固定棒挿入孔(26)の巾ｗ3 よりも小さく該切欠部(27)の巾ｗ4 よりも大きく、該小巾部(42)の巾ｗ2 は該切欠部(27)の巾ｗ4 よりも小さく形成されている（ｗ2 ＜ｗ4 ＜ｗ1 ＜ｗ3 ）。また該小巾部(42)の屈曲された上部中央にはビス穴(43)が設けられている。
【００１１】
また該踏板部(21)の表面には滑り止めマット(25)が被着されている。該滑り止めマット(25)の材料としては、不織布、繊維編織物等の繊維シートまたは粘着性やきしみ性のあるプラスチック、ゴム、エラストマー等のマットが使用される。また滑り止めマット(25)を被着する代わりに該踏板部(21)の表面に多数の小突起や複数条の細溝等の滑り止め加工を施してもよい。
【００１２】
また図６および図７に示すように該踏板部(21)の裏面の両側端部には、脚部材(3) の上辺部(3a)が嵌合して取り付けられる一対の角溝(28a,28a) が間仕切り壁(28,28) により画設されており、該角溝(28a,28a) は前脚カバー部(22,22) の裏側凹部(22a,22a) に連なっている。
【００１３】
脚部材(3) は金属製のパイプからなり、上辺部(3a)および該上辺部(3a)の両端から下方に屈曲される脚部(3b,3b) とからなる。該脚部(3b,3b) の下部には円筒形の摺動カバー(32)が摺動自在に外嵌されており、該脚部(3b,3b) の下端には底面にゴム板(33)が貼着された脚円盤(31)が高さ調節自在に取り付けられている。
【００１４】
該脚円盤(31)の取付け構造を説明すれば、図８に示すように該脚円盤(31)からは六角座(34)を介してボルト杆(35)が立設され、該ボルト杆(35)はめねじ部材(36)に螺入して貫通している。該めねじ部材(36)は座部(36a) および該座部(36a) から立設されるめねじ部(36b) とからなり、該めねじ部(36b) の内周面には螺溝（図示しない）が設けられている。また該めねじ部(36b) の外周面には突環(36c) の複数条が形成されている。
【００１５】
該めねじ部材(36)は脚部(3b)の下端に下方から嵌挿され、該突環(36c) と脚部(3b)内周壁との摩擦力により固定されている。また脚部(3b)の下部に外嵌されている摺動カバー(32)は該脚円盤(31)の上面に当接して受止されている。
【００１６】
図９に示すように該脚部材(3) の巾ｗ5 は角溝(28a) の内巾ｗ6 および前脚カバー部(22)の内径ｗ7 と同一に設定され、該脚部材(3) は上辺部(3a)が踏板部(21)裏面の角溝(28a) に嵌合されて踏台本体(2) に取り付けられる。このとき前側の脚部(3b)は前脚カバー部(22)の裏側凹部(22a,22a) に嵌合し、脚部材(3) は左右に揺動することを規制されてがたつくことがない。また図１０に示すように所望により該角溝(28)の内壁所定箇所に突起(28b) を設けて該上辺部(3a)を該突起(28b) により係止および／または挟圧すれば該脚部材(3) はさらに安定する。
【００１７】
該踏台(1) を使用するには、該踏台(1) を段差部Ｓの前面に設置して、段差Ｓの高さに応じて、脚部(3b)下端の脚円盤(31)を正逆に回転させ、ボルト杆(35)のめねじ部材(36)に対する螺入度を調節して、脚部(3b)を伸縮させて脚部材(3) の高さを調節する。このとき図１１に示すように該脚部(3b)の下部に外嵌している摺動カバー(32)は、該脚部(3b)の伸縮に応じて上下摺動してボルト杆(35)がめねじ部材(36)の下方に露出した部分を覆う。したがって脚部材(3) を高くしてもボルト杆(35)が脚部(3b)の下部から外部に露出して見栄えが悪くなることはない。
【００１８】
また前脚カバー部(22,22) 間には前面板(24)がガイド突条(23,23) を介して上下摺動可能に差し渡されているので、脚部(3b)を高くすると該前面板(24)は重力により自然に摺動下降する。したがって該前面板(24)は踏台(1) の高さに対応して上下にスライドして前脚カバー部(22,22) 間を覆い、踏台(1) の前面につま先が引っ掛かる隙間を作らない。なお、前面板(24)の両下隅に切欠きを設けたり、脚円盤(31)の外径を前脚カバー部(22,22) の内径より小さく設定すれば、該前面板(24)は脚円盤(31)に規制されず接地する。したがって踏台(1) の前面から隙間を完全になくすこともできる。
【００１９】
所望の高さに踏台(1) を調節したら、固定棒(4) を踏板本体(2) の固定棒挿入孔(26)に挿入して、大巾部(41)を該固定棒挿入孔(26)の切欠部(27)に位置させる。そして小巾部(42)の上部を段差部Ｓの前面に当接して、ビス穴(43)を介してビス(44)等により該固定棒(4) を段差部Ｓ正面に固定する。該固定棒(4) の大巾部(41)の巾ｗ1 は該切欠部(27)の巾ｗ4 より大きく設定されているので、踏台(1) が設置された状態では固定棒(4) は固定棒挿入孔(26)から外れることがない。したがって該踏台(1) はズレたり、傾いたりせず段差Ｓにしっかりと固定される。
【００２０】
また該固定棒(4) の小巾部(42)の巾ｗ2 は該切欠部(27)の巾ｗ4 より小さく設定されているので、該踏台(1) を持ち上げて該切欠部(27)から該小巾部(42)を通り抜けさせれば、該踏台(1) を段差部Ｓから簡単に取り外すことができる。
【００２１】
本実施例は、本発明を限定するものではなく、例えば固定棒挿入孔および切欠部は踏板部の背面から凹陥して設けられてもよいし、また脚部の高さ調節は例えば円筒脚部を摺動自在に外筒部材に内挿して、固定手段により所望の高さに固定してもよい。
【００２２】
【発明の効果】
本発明の踏台は、段差部にぐらつくことなく固定でき、かつ段差部への固定を簡単に解除して取り外すことができる。
【図面の簡単な説明】
図１〜図１１は本発明の一実施例を示すものである。
【図１】斜視図
【図２】分解斜視図
【図３】固定棒挿入孔説明平面図
【図４】固定棒側面図
【図５】固定棒正面図
【図６】踏台本体裏側斜視図
【図７】踏台本体下面図
【図８】脚部縦断面図
【図９】脚部材取付け状態Ａ−Ａ断面図
【図１０】突起が設けられた角溝への脚部材取付け状態部分断面図
【図１１】脚部伸長状態の脚部縦断面図
【図１２】従来例の斜視図
【符号の説明】
1           段差部用踏台
2           踏台本体
4           固定棒
24          前面板
26          固定棒挿入孔
27          切欠部
41          大巾部
42          小巾部
3b          脚部
Ｓ          段差部
ｗ3 , ｗ4   巾
【図１】
0003828043.tif 000002
【図２】
0003828043.tif 000003
【図３】
0003828043.tif 000004
【図４】
0003828043.tif 000005
【図５】
0003828043.tif 000006
【図６】
0003828043.tif 000007
【図７】
0003828043.tif 000008
【図８】
0003828043.tif 000009
【図９】
0003828043.tif 000010
【図１０】
0003828043.tif 000011
【図１１】
0003828043.tif 000012
【図１２】
0003828043.tif 000013